(57)【要約】【課題】使用中の連続噴射状態及び使用終了後の残留ガス抜き状態を実現する。【解決手段】エアゾール容器の上端の噴射用ステムに取り付けるトリガー式噴射機構10である。ハウジング11の上面部11uに開口部11mを設け、この開口部11mに前後方向に滑動するスライド部材13を設ける。ハウジング11の上面部11uの裏面に突出部11pを設け、これにスライド部材13の前方延長部13fを当接し、その下方に滑り込ませる。これによりトリガー部12の上面が押下され、噴射用ステムも同時に押下されてエアゾール容器の内容液が噴射したままの状態を維持する。トリガー部12の噴射口部の上方側とハウジング11を相互に接続するようにプルタブ15を一体的に形成し、このプルタブ15を千切り取ることによりトリガー部12の揺動が可能となる。【選択図】図１
2013100131.tif 000002
【特許請求の範囲】
【請求項１】
エアゾール容器の上端部にハウジングの下端部を取り付けることができ、このハウジングの内部にはその後方側で枢着されて揺動するトリガー部が設けられ、このトリガー部には内部通路が形成され、この内部通路の入口部が前記容器の噴射用ステムに接続し、この内部通路の出口が噴射口を成すトリガー式の噴射機構において、
前記ハウジング(11)の上面部(11u)に開口部(11m)を設け、この開口部(11m)に前後方向に滑動するスライド部材(13)を設け、
前記ハウジング(11)の上面部(11u)の裏面には下方に突出する突出部(11p)を設け、スライド部材(13)の前方側には前記突出部(11p)と当接する前方延長部(13f)を形成し、
これにより前記スライド部材(13)を前方に移動させることにより前方延長部(13f)が前記突出部(11p)の下方に滑り込み、その結果トリガー部(12)の上面が押下され、前期噴射用ステムも同時に押下されてエアゾール容器の内容液が噴射したままの状態を維持することを特徴とするエアゾール容器の噴射機構。
【請求項２】
スライド部材(13)の両側には溝条部(13g, 13g)又は突条部が形成され、これらの溝条部(13g, 13g)又は突条部と相互に係合する突条受部(11h, 11h)又は溝条受部がハウジング(11)の上面部(11u)の前記開口部(11m)の両側に設けられ、これらの溝条部(13g, 13g)又は突条部と突条受部(11h, 11h)又は溝条受部の相互の係合によりスライド部材(13)が前後方向に滑動できることを特徴とする請求項１に記載のエアゾール容器の噴射機構。
【請求項３】
前記トリガー部(12)の噴射口部の上方側とハウジング(11)を相互に接続するようにプルタブ(15)を一体的に形成し、このプルタブ(15)を千切り取ることにより初めてトリガー部(12)の揺動が可能となることを特徴とする請求項１又は２に記載のエアゾール容器の噴射機構。
【発明の詳細な説明】
【技術分野】
【０００１】
本発明は、内部に各種用途を有する内容液と噴射用ガス剤等を収容したエアゾール容器に取り付ける噴射機構に関し、とりわけ連続噴射及び残留ガスの全排出を可能とする噴射機構に関するものである。
【背景技術】
【０００２】
従来の技術としては、下記特許文献に記載のものを挙げることができる。
下記特許文献１に記載のものは、簡単な構成でエアゾール容器の残留ガスの全量排出作業を容易に行うことができ、また、残留ガス排出状態からの復帰が可能なエアゾール容器の残留ガス排出構造に関するものである。
【０００３】
その残留ガス排出構造は、エアゾール容器の上部に装着するカバー体と、エアゾール容器のステムを押圧する噴射部と、トリガーを備えた操作部と、カバー体後部に対して着脱可能なロックピンにより構成される。
カバー体の両側面の正面側の下方にそれぞれスリットを形成し、操作部にはトリガーを引いたときに前記スリットと位置が一致する貫通孔が形成されている。
エアゾール容器の残留ガスを全て排出する際には、トリガーを引いて前記スリットと貫通孔の位置を合致させ、ロックピンの軸部をこれらに係合させてロックし、連続噴射状態を維持することができるものである。
【０００４】
下記特許文献２に記載のものも上記同様に、簡単な構成でエアゾール容器の残留ガスの全量排出作業を容易に行うことができ、また、残留ガス排出状態からの復帰が可能なエアゾール容器の残留ガス排出構造に関するものである。
【０００５】
この残留ガス排出構造は、エアゾール容器の上部に装着するカバー体と、ステムを押圧する噴射部と、該噴射部を残留ガス排出位置に固定するロック片により構成される。
ロック片は、一対のアームを有しており、該アームで、噴射部のノズル部とトリガーの間の基部を挟むことにより、ノズル部に沿ってスライド可能に装着される。
残留ガス排出状態を維持する場合は、トリガーを引いた状態で、ロック片のアームの先端を、カバー体の側面内側に設けた係合部の凸部の下面に係合させてトリガーをロックし、連続噴射状態を維持することができるものである。
【先行技術文献】
【特許文献】
【０００６】
【特許文献１】特開２００７−３３１７８６号公報
【特許文献２】特開２００７−３３１７８７号公報
【発明の概要】
【発明が解決しようとする課題】
【０００７】
本発明においても、上記従来の噴射機構と同様に、使用後の残留ガスの全排出を可能とすることをその課題とし、且つ、使用中にあって連続噴射状態をも維持できるもの、しかも極めて簡単にこれを実現することができるものを提供することをその課題とする。
また、上記従来例においては、このような連続噴射状態又は使用後の残留ガスの全排出を行うために、ロックピンやロック片を使用しているが、これらは本体部（ハウジング）とは別体に形成されており、これら別体のロックピンやロック片を使用中に失ってしまうという問題も残るのであるが、本発明においては、このような紛失の恐れをも完全に無くすることもその課題となる。
更に、本発明においては、使用前のバージンシールの手段を講じうることもその視野に入れており、即ち、本製品の使用開始前の状態を維持し、使用者に当該製品が未使用であることを簡単に認識できる手段を付加することもその課題となる。
【課題を解決するための手段】
【０００８】
上記課題を解決するために、本発明の第１のものは、エアゾール容器の上端部にハウジングの下端部を取り付けることができ、このハウジングの内部にはその後方側で枢着されて揺動するトリガー部が設けられ、このトリガー部には内部通路が形成され、この内部通路の入口部が前記容器の噴射用ステムに接続し、この内部通路の出口が噴射口を成すトリガー式の噴射機構において、前記ハウジングの上面部に開口部を設け、この開口部に前後方向に滑動するスライド部材を設け、前記ハウジングの上面部の裏面には下方に突出する突出部を設け、スライド部材の前方側には前記突出部と当接する前方延長部を形成し、
これにより前記スライド部材を前方に移動させることにより前方延長部が前記突出部の下方に滑り込み、その結果トリガー部の上面が押下され、前期噴射用ステムも同時に押下されてエアゾール容器の内容液が噴射したままの状態を維持することを特徴とするエアゾール容器の噴射機構である。
ここで、上記「前後方向」というのは、噴射口が設けられている側が前方方向であり、その反対側が後方側を意味する（以下同じである。）。
【０００９】
本発明の第２のものは、上記第１の発明において、スライド部材の両側には溝条部又は突条部が形成され、これらの溝条部又は突条部と相互に係合する突条受部又は溝条受部がハウジングの上面部の前記開口部の両側に設けられ、これらの溝条部又は突条部と突条受部又は溝条受部の相互の係合によりスライド部材が前後方向に滑動できることを特徴とするエアゾール容器の噴射機構である。
【００１０】
本発明の第３のものは、上記第１又は第２の発明において、前記トリガー部の噴射口部の上方側とハウジングを相互に接続するようにプルタブを一体的に形成し、このプルタブを千切り取ることにより初めてトリガー部の揺動が可能となることを特徴とするエアゾール容器の噴射機構である。
【発明の効果】
【００１１】
本発明の第１のものにおいては、エアゾール容器のトリガー式噴射機構において、ハウジングの上面部に設けられた開口部に、前後方向に滑動するスライド部材を設け、このスライド部材を前方に移動させると、スライド部材の前方の前方延長部がハウジングの上面部の裏面に設けられた突出部に当接して、その下方に滑り込むことにより、トリガー部の上面が押下され、同時にエアゾール容器の上端の噴射用ステムが押下されることにより、連続噴射状態となる。
この状態を維持することにより、エアゾール容器の使用中においては連続噴射状態とすることができ、その使用終了後には残留ガス抜き機構となるのである。
【００１２】
また、本発明においては、スライド部材は、ハウジングの上面部の開口部で前後に滑動でき、その連続噴射状態を解除するためには、このスライド部材を後方に移動させればその連続噴射状態が解除されるものである。
更に、このスライド部材は、ハウジングの上面部の開口部で前後方向に往復移動することができ、ハウジングと一体的に形成されているため、このスライド部材のみが紛失するという問題も全く生じないのである。
【００１３】
本発明の第２のものは、上記第１の発明において、スライド部材とハウジングとの相互の構造的形態をより具体化して特定したものである。
即ち、スライド部材の両側に溝条部又は突条部を形成し、これらの溝条部又は突条部と相互に係合する突条受部又は溝条受部をハウジングの上面部の開口部の両側に設け、これらの溝条部又は突条部と突条受部又は溝条受部の相互の係合によりスライド部材が前後方向に往復滑動できるようにしたものである。
これにより、スライド部材は、ハウジング上面開口部の両側に係合し、ハウジングと一体的に構成され、スライド部材が紛失してしまう恐れが無くなるのである。
【００１４】
本発明の第３のものにおいては、本発明に係る噴射機構のバージンシールを実現したものであり、つまり、未使用状態を良好に確認することができ、且つ、エアゾール容器の内容液が誤って噴射されることを防止したものである。
即ち、トリガー部の噴射口部の上方側とハウジングとを相互に接続するようにプルタブを一体的に形成したため、このプルタブを引き千切ることなしにはトリガー部を揺動させることが出来ず、このプルタブを千切り取ることによって初めてトリガー部の揺動が可能となるようにしたものである。
これにより、使用者は、このプルタブがこの噴射機構に付加されたままの状態を見て、この製品が未使用であることを確認することができ、内容液の漏出をも防止することができることとなる。
【図面の簡単な説明】
【００１５】
【図１】本発明に係るエアゾール容器の噴射機構の一実施形態を示しており、その（Ａ）が斜視図、その（Ｂ）が中央縦断面図、その（Ｃ）が平面図であり、未だ未使用状態のものである。
【図２】上記実施形態に係る噴射機構の連続噴射状態を示しており、その（Ａ）が斜視図、その（Ｂ）が中央縦断面図、その（Ｃ）が平面図である。
【図３】上記実施形態におけるスライド部材の部分を示しており、その（Ａ）が斜め後方から見た斜視図、その（Ｂ）がスライド部材とハウジングの係合関係を図示する断面説明図である。
【発明を実施するための形態】
【００１６】
以下、添付の図面と共に本発明の実施形態について説明する。
図１は、本発明に係るエアゾール容器の噴射機構の一実施形態を示しており、その（Ａ）が斜視図、その（Ｂ）が中央縦断面図、その（Ｃ）が平面図であり、未だ未使用状態のものである。
【００１７】
本発明に係る噴射機構１０は、エアゾール容器（図示省略）の上端部に取り付けるハウジング１１と、このハウジング１１内で、その後方側で枢着された揺動自在のトリガー部１２と、このトリガー部１２を押下して連続噴射状態を可能にするスライド部材１３とから成る。
【００１８】
ハウジング１１は、その下端部が円筒形状を有する接続部１１ｓを有し、この接続部１１ｓが、図示省略したエアゾール容器の上端部と嵌合し、固定されて取り付けられる。
ハウジング１１は、その両側に、上方に起立する壁面部１１ｗ、１１ｗを有し、その前方側（噴射口側）が開口されている。
【００１９】
また、ハウジング１１の上面部１１ｕの後方側にも開口部１１ｍが設けられ、この開口部１１ｍのエリアで前記スライド部材１３が前後方向に往復移動可能に滑動できるのである。
この図１においては、このスライド部材１３は、一番後方位置に位置しており、スライド部材１３の前方の前方延長部１３ｆが、ハウジング１１の上面部１１ｕの裏面に設けられている突出部１１ｐの下に滑り込んでいない状態である。即ち、このスライド部材１３の前方延長部１３ｆが次に説明するトリガー部１２を下方に押下していない状態である。
【００２０】
図１に図示した状態は、上記した通り、本発明に係る噴射機構１０が未使用の状態を示している。従って、プルタブ１５が未だ千切り取られていない状態である。
このプルタブ１５は、その両側下面がハウジング１１の両側の壁面部１１ｗ、１１ｗの上縁部と結合しており、且つトリガー部１２の上縁部とも結合し、図１の状態ではトリガー部１２のトリガー１２ｔを引き寄せるように動かすことができない状態である。
【００２１】
このように、プルタブ１５の存在により、使用者は、エアゾール容器が未だ未使用であることを確認することができ、その内容液が漏出してしまう心配が無くなるのである。
使用者は、このエアゾール容器を購入し、このプルタブ１５をハウジング１１及びトリガー部１２から引き千切ることにより、初めてトリガー１２ｔを操作することが出来ることとなるのである。
従って、このプルタブ１５は、バージンシールの役目を荷うものである。
【００２２】
次に、トリガー部１２の構成は以下の通りである。
このトリガー部１２は、前記ハウジング１１内に配備され、その後方端部の枢着部１４で回動自在にハウジング１１に枢着されている。
トリガー部１２の内部には内部通路１２ｐが形成され、その入口部１２ｃが、エアゾール容器の上端部に設けられている噴射用ステム（図示省略）と接続し、その出口が噴射口１２ｄとなるのである。
【００２３】
従って、プルタブ１５を除去した後、トリガー１２ｔを引き寄せるように操作すると、枢着部１４を支点として下方にトリガー部１２が回動し、前記入口部１２ｃがエアゾール容器の噴射用ステムを押下して、エアゾール容器内の内容液を噴射口１２ｄから大気中に噴射することができるのである。
【００２４】
スライド部材１３の構成は、平面視略矩形形状の板状のものからなり、その前方から延長する前方延長部１３ｆが形成されている。
このスライド部材１３とハウジング１１の開口部１１ｍとの係合関係は、後の図３において説明するが、このスライド部材１３が、ハウジング１１の上面部１１ｕに設けられている開口部１１ｍの部分で、前後方向に滑動可能に形成されているのである。
【００２５】
このスライド部材１３の前方延長部１３ｆが、後の図２で説明するが、ハウジング１１の上面部１１ｕの裏面に形成されている突出部１１ｐと当接して、その下方に滑り込むように進入することにより、トリガー部１２が下方に押下され、その結果、トリガー部１２の内部通路１２ｐの入口部１２ｃが容器の噴射用ステム（図示省略）を押下し、その内容液を噴射状態のままに維持することができるのである。
【００２６】
図２は、上記実施形態に係る噴射機構の連続噴射状態を示しており、その（Ａ）が斜視図、その（Ｂ）が中央縦断面図、その（Ｃ）が平面図である。
図２（Ａ）からよく解るように、プルタブは引き千切られており、トリガー部１２は、その後方側の枢着部１４を中心にして揺動（回動）可能となっている。
【００２７】
この図２の状態は、スライド部材１３が前方に、即ち噴射口１２ｄの側に移動しているために、トリガー部１２は下方に押下され、これによりトリガー部１２の内部通路１２ｐの入口部１２ｃがエアゾール容器の噴射用ステムを押下して連続噴射状態となっている。
より詳しくは、スライド部材１３の前方延長部１３ｆが、ハウジング１１の上面部１１ｕの裏面に形成された突出部１１ｐの下方に滑り込むことによりトリガー部１２が下方に押下されることにより連続噴射状態となっているのである。
【００２８】
本発明においては、この連続噴射状態を解除しようと思えば、このスライド部材１３を噴射口１２ｄと反対の後方側に移動させることにより、容易に解除することができるものである。
またエアゾール容器の内容液がほぼ無くなって使用終了時には、残留ガスの排出を行うために、このスライド部材１３を前方に移行させたままの状態とすればよいのである。この状態でエアゾール容器を廃棄することができる。
【００２９】
図３は、上記実施形態におけるスライド部材の部分を示しており、その（Ａ）が斜め後方から見た斜視図、その（Ｂ）がスライド部材とハウジングの係合関係を図示する断面説明図である。
これらの図においては、トリガー部の図示は省略している。
スライド部材１３は、ハウジング１１の上面部１１ｕの後方部に設けられた開口部１１ｍの両側で相互に係合し、その前後方向に往復滑動することができる。
【００３０】
その両者の係合状態を図３（Ｂ）に図示しているが、スライド部材１３の両側にはそれぞれ溝条部１３ｇが形成され、この溝条部１３ｇと相互に係合するように、ハウジング１１の開口部１１ｍの両側には突条受部１１ｈがそれぞれ形成されている。
この実施形態では、突条受部１１ｈは、ハウジング１１の上面開口部の両側の側縁部をそのまま利用しており、これらの側縁部の厚みを前記溝条部１３ｇと適合するように形成している。
これらの溝条部１３ｇと突条受部１１ｈとが相互に係合して、スライド部材１３は、ハウジング１１の上面部１１ｕの開口部１１ｍにおいて前後方向に往復移動可能に滑動することができるのである。
【００３１】
上記溝条部と突条受部とは、相互に逆に形成することもできる。
即ち、スライド部材１３の両側に突条部を形成し、ハウジング１１の開口部１１ｍの両側にそれぞれ溝条受部を形成して実施することもできるのである。
【００３２】
以上、実施形態について説明したが、本発明においては以下の通り設計変更することができる。
ハウジングの外形形状は種々設計変更することができる。
本発明に係るハウジングにおいては、その下端部でエアゾール容器の上端部に固定できる形態を有し、その内部にトリガー部を配設でき、その上面部に開口部を設けてスライド部材と相互に係合でき、スライド部材が前後方向に滑動できるものであればよい。
【００３３】
ハウジングの上面部に設けた開口部の大きさも適宜必要に応じて設計することができる。
スライド部材も上記開口部の形態に良好に適合する形態とすればよく、両者の係合形態も適宜設計変更することもできる。
スライド部材の上面部に滑り止めの突条部又は溝条部を形成するのも自由である。
【００３４】
スライド部材の前方延長部の形態も自由に設計変更することができ、上記の実施形態ではその横幅をスライド部材の根本側本体部よりも少し狭いものとして実施したが（図１（Ｃ）参照）、その横幅をスライド部材の根本側本体部と略同一のものとしてもよい。
更に、スライド部材の前方延長部の先端部上面に突出部を形成して、ハウジングの上面部裏面の突出部と相互に係合できるようにすることにより、スライド部材を前方に移動後前記ハウジングの上面部裏面の突出部と係合又は適合することにより、スライド部材が容易に後方側には戻れないように設計することも可能である。
【００３５】
このようにすることにより、スライド部材を一度前方に移動させることにより、連続噴射の解除を容易に行うことができないようにすることができる。
即ち、使用終了後残留ガス抜き状態とする際に、スライド部材を容易に後方に戻せなくすることも可能である。
しかし、この連続噴射状態は、トリガー部の噴射口部の上面を指で押圧することにより、スライド部材の前方延長部上面に形成した突出部は、ハウジングの上面部裏面の突出部との係合を解除させることが出来る。従って、エアゾール容器使用中に連続噴射状態としても、このトリガー部を押下することにより連続噴射状態は解除できることとなるのである。
【００３６】
プルタブについても、その大きさ及び形状等種々設計変更することができ、要はハウジングの上縁部とトリガー部の上縁部の両者に接続するような接続部を形成して、プルタブが除去される前には、トリガー部がプルタブを介してハウジングに連結して揺動しないように構成すればよいのである。
【００３７】
以上の通り、本発明においては、そのスライド部材を使用し、そのハウジングとの係合関係により、容易に連続噴射状態又は残留ガス抜き状態を実現でき、しかもそのスライド部材はハウジングと一体的に設けられ、その紛失も防止できるエアゾール容器の噴射機構を提供することができたものである。
【符号の説明】
【００３８】
１０  エアゾール容器の噴射機構
１１  ハウジング
１１ｈ  突条受部
１１ｍ  開口部
１１ｐ  突出部
１１ｓ  接続部
１１ｕ  上面部
１１ｗ  壁面部
１２  トリガー部
１２ｃ  入口部
１２ｄ  噴射口
１２ｐ  内部通路
１２ｔ  トリガー
１３  スライド部材
１３ｆ  前方延長部
１３ｇ  溝条部
１４  枢着部
１５  プルタブ
【図１】
2013100131.tif 000003
【図２】
2013100131.tif 000004
【図３】
2013100131.tif 000005